(57)【特許請求の範囲】
【請求項１】
関係データを作成するために利用するヒト情報、モノである家電機器についてのモノ情報、および、それらの情報から関係データを作成する方法を規定するポリシ情報を管理するポリシ情報管理部と、
前記ポリシ情報に従った前記家電機器の前記モノ情報が登録されているモノ情報データベースと、
スマートホームを利用する前記家電機器のユーザであるヒトを登録するヒト利用登録データベースと、
前記ヒト利用登録データベースに登録されたヒトについての活動状況を保有しているヒト情報データベースから前記ポリシ情報に従ったヒト情報を収集するヒト情報収集部と、
収集された前記ヒト情報をキーに、前記モノ情報データベースから前記キーとなるヒト情報に対して所定の関係を満たす前記モノ情報が検索できたときに、前記ヒト情報で示されるヒトと前記モノ情報で示されるモノとを関係データとして対応付け、その対応付けた結果の関係データを、前記スマートホームを提供するクラウドサービスに提供する関係データ作成部とを有することを特徴とする
関係データ作成装置。
【請求項２】
関係データを作成するために利用するヒト情報、モノである家電機器についてのモノ情報、および、それらの情報から関係データを作成する方法を規定するポリシ情報を管理するポリシ情報管理部と、
前記ポリシ情報に従った前記家電機器の前記モノ情報が登録されているモノ情報データベースと、
スマートホームを利用する前記家電機器のユーザであるヒトを登録するヒト利用登録データベースと、
前記ヒト利用登録データベースに登録されたヒトについての活動状況として、モノの利用状況を保有しているヒトの活動情報データベースから、前記モノの利用状況を前記ポリシ情報に従ったモノ情報として収集するモノ情報収集部と、
収集された前記モノ情報をキーに、前記ヒト利用登録データベースから前記キーとなるモノ情報に対して所定の関係を満たす前記ヒト情報が検索できたときに、前記ヒト情報で示されるヒトと前記モノ情報で示されるモノとを関係データとして対応付け、その対応付けた結果の関係データを、前記スマートホームを提供するクラウドサービスに提供する関係データ作成部とを有することを特徴とする
関係データ作成装置。
【請求項３】
前記ポリシ情報管理部は、前記ポリシ情報として、ホームネットワークに接続するヒトとモノとを関係づける旨のポリシ情報、前記関係データ作成装置にアクセスした際の回線の契約情報が一致するヒトとモノとを関係づける旨のポリシ情報、および、前記モノが接続している通信回線の契約の住所と、ヒトがモバイル通信を行っている場所とが近いヒトとモノを関係づける旨のポリシ情報のうちのいずれか１つのポリシ情報を管理していることを特徴とする
請求項１または請求項２に記載の関係データ作成装置。
【請求項４】
前記ヒト情報収集部は、前記ヒト情報を繰り返し収集し、その収集した前記ヒト情報の内容が変更されたときには、前記関係データ作成部に対して、前記関係データを更新させることを特徴とする
請求項１に記載の関係データ作成装置。
【請求項５】
前記家電機器を前記クラウドサービスに登録する際に前記ヒトが操作する端末から送信されたモノ識別子と、前記家電機器への設置登録の操作により前記家電機器から送信されたモノ識別子と、を前記クラウドサービスに照合させ、前記照合が一致したときに、前記クラウドサービスにモノを登録させるとともに、前記モノ情報データベースに前記モノ情報を登録することを特徴とする
請求項１ないし請求項４のいずれか１項に記載の関係データ作成装置。
【請求項６】
前記ヒト情報収集部は、前記ヒト情報データベースから収集するヒト情報として、ヒトの住所情報、ヒトの実家の住所情報、ヒトの家族構成情報、ヒトの光通信回線契約情報、ヒトのモバイル回線契約情報、ヒトのモバイル端末のアクセス状況を示す情報、ヒトのモバイル端末の利用状況を示す情報のうちの少なくとも１つの情報を収集することを特徴とする
請求項１に記載の関係データ作成装置。
【請求項７】
関係データ作成装置は、ポリシ情報管理部と、モノ情報データベースと、ヒト利用登録データベースと、ヒト情報収集部と、関係データ作成部とを有しており、
前記ポリシ情報管理部は、関係データを作成するために利用するヒト情報、モノである家電機器についてのモノ情報、および、それらの情報から関係データを作成する方法を規定するポリシ情報を管理し、
前記モノ情報データベースには、前記ポリシ情報に従った前記家電機器の前記モノ情報が登録されており、
前記ヒト利用登録データベースには、スマートホームを利用する前記家電機器のユーザであるヒトが登録されており、
前記ヒト情報収集部は、前記ヒト利用登録データベースに登録されたヒトについての活動状況を保有しているヒト情報データベースから前記ポリシ情報に従ったヒト情報を収集し、
前記関係データ作成部は、収集された前記ヒト情報をキーに、前記モノ情報データベースから前記キーとなるヒト情報に対して所定の関係を満たす前記モノ情報が検索できたときに、前記ヒト情報で示されるヒトと前記モノ情報で示されるモノとを関係データとして対応付け、その対応付けた結果の関係データを、前記スマートホームを提供するクラウドサービスに提供することを特徴とする
関係データ作成方法。
【請求項８】
請求項７の関係データ作成方法を、コンピュータである前記関係データ作成装置に実行させるための関係データ作成プログラム。
【発明の詳細な説明】
【技術分野】
【０００１】
本発明は、関係データ作成装置、関係データ作成方法、および、関係データ作成プログラムの技術に関する。
【背景技術】
【０００２】
家電などのモノがインターネットに接続し、スマートフォンから操作を受け付けるなどのスマートホームサービスが、ＩｏＴ（Internet of Things）として普及し始めている。
非特許文献１に記載のように、スマートホームサービスに用いられる各制御コマンドの詳細が提案されている。
非特許文献２に記載のように、外出先からエアコンなどの遠隔操作を受け付けることにより、家電の使い方の幅が広がる。
【先行技術文献】
【非特許文献】
【０００３】
【非特許文献１】増田健司、"無線対応スマートアプライアンスサービス"、Panasonic Technical Journal Vol.58 No.3, Oct 2012
【非特許文献２】Panasonic、"スマート家電のはじめ方（生活家電・美容・健康）"、［online］、［2016年5月24日検索］、インターネット〈URL：http://panasonic.jp/pss/ap/kaden/〉
【発明の概要】
【発明が解決しようとする課題】
【０００４】
スマートホームサービスを利用するユーザに対して、ホームネットワークに接続された家電を介してスマートホームサービスを提供するためには、スマートホームサービスを提供するクラウドサービスの側が、どのモノ（家電）がどのヒト（ユーザ）に関係するかというヒト・モノ関係を適切に知る必要がある。
【０００５】
しかし、家族全員で冷蔵庫を共用するなどヒトとモノとの関係は多様である。よって、ヒト・モノ関係をユーザ自身に設定させる手間が負担となってしまう。また、ヒトの申告にもとづくヒト・モノ関係の入力データでは、入力ミスなどにより信頼レベルが低いこともある。さらに、モノの設置位置が変更されるなど、ヒト・モノ関係は変更されるデータであるので、その変更のための入力も負担になる。
【０００６】
そこで、本発明は、スマートホームサービスを実現するためのヒト・モノ関係データを、自動的に作成することを、主な課題とする。
【課題を解決するための手段】
【０００７】
前記課題を解決するために、本発明の変換ルール生成装置は、以下の特徴を有する。
つまり、関係データ作成装置は、関係データを作成するために利用するヒト情報、モノである家電機器についてのモノ情報、および、それらの情報から関係データを作成する方法を規定するポリシ情報を管理するポリシ情報管理部と、
前記ポリシ情報に従った前記家電機器の前記モノ情報が登録されているモノ情報データベースと、
スマートホームを利用する前記家電機器のユーザであるヒトを登録するヒト利用登録データベースと、
前記ヒト利用登録データベースに登録されたヒトについての活動状況を保有しているヒト情報データベースから前記ポリシ情報に従ったヒト情報を収集するヒト情報収集部と、
収集された前記ヒト情報をキーに、前記モノ情報データベースから前記キーとなるヒト情報に対して所定の関係を満たす前記モノ情報が検索できたときに、前記ヒト情報で示されるヒトと前記モノ情報で示されるモノとを関係データとして対応付け、その対応付けた結果の関係データを、前記スマートホームを提供するクラウドサービスに提供する関係データ作成部とを有することを特徴とする。
【０００８】
これにより、家電機器のユーザであるヒトは、自身が使用するモノ（家電機器）を直接指定する必要は無くなる。代わりに、関係データ作成部がヒト情報をキーに、スマートホームサービスを実現するためのヒト・モノ関係データを、自動的に作成する。
【０００９】
本発明は、関係データを作成するために利用するヒト情報、モノである家電機器についてのモノ情報、および、それらの情報から関係データを作成する方法を規定するポリシ情報を管理するポリシ情報管理部と、
前記ポリシ情報に従った前記家電機器の前記モノ情報が登録されているモノ情報データベースと、
スマートホームを利用する前記家電機器のユーザであるヒトを登録するヒト利用登録データベースと、
前記ヒト利用登録データベースに登録されたヒトについての活動状況として、モノの利用状況を保有しているヒトの活動情報データベースから、前記モノの利用状況を前記ポリシ情報に従ったモノ情報として収集するモノ情報収集部と、
収集された前記モノ情報をキーに、前記ヒト利用登録データベースから前記キーとなるモノ情報に対して所定の関係を満たす前記ヒト情報が検索できたときに、前記ヒト情報で示されるヒトと前記モノ情報で示されるモノとを関係データとして対応付け、その対応付けた結果の関係データを、前記スマートホームを提供するクラウドサービスに提供する関係データ作成部とを有することを特徴とする。
【００１０】
これにより、家電機器のユーザであるヒトは、自身が使用するモノ（家電機器）を直接指定する必要は無くなる。代わりに、関係データ作成部がモノ情報をキーに、スマートホームサービスを実現するためのヒト・モノ関係データを、自動的に作成する。
【００１１】
本発明は、前記ポリシ情報管理部が、前記ポリシ情報として、ホームネットワークに接続するヒトとモノとを関係づける旨のポリシ情報、前記関係データ作成装置にアクセスした際の回線の契約情報が一致するヒトとモノとを関係づける旨のポリシ情報、および、前記モノが接続している通信回線の契約の住所と、ヒトがモバイル通信を行っている場所とが近いヒトとモノを関係づける旨のポリシ情報のうちのいずれか１つのポリシ情報を管理していることを特徴とする。
【００１２】
これにより、多様な情報を活用して、ヒト・モノ関係データを、自動的に作成できる。
【００１３】
本発明は、前記ヒト情報収集部が、前記ヒト情報を繰り返し収集し、その収集した前記ヒト情報の内容が変更されたときには、前記関係データ作成部に対して、前記関係データを更新させることを特徴とする。
【００１４】
これにより、転勤などでヒトの住所が更新されても、ヒト・モノ関係データを効率的に更新できる。
【００１５】
本発明は、前記家電機器を前記クラウドサービスに登録する際に前記ヒトが操作する端末から送信されたモノ識別子と、前記家電機器への設置登録の操作により前記家電機器から送信されたモノ識別子と、を前記クラウドサービスに照合させ、前記照合が一致したときに、前記クラウドサービスにモノを登録させるとともに、前記モノ情報データベースに前記モノ情報を登録することを特徴とする。
【００１６】
これにより、不正者による家電機器へのなりすまし登録を予防できる。
【００１７】
本発明は、前記ヒト情報収集部が、前記ヒト情報データベースから収集するヒト情報として、ヒトの住所情報、ヒトの実家の住所情報、ヒトの家族構成情報、ヒトの光通信回線契約情報、ヒトのモバイル回線契約情報、ヒトのモバイル端末のアクセス状況を示す情報、ヒトのモバイル端末の利用状況を示す情報のうちの少なくとも１つの情報を収集することを特徴とする。
【００１８】
これにより、多様な情報を活用して、ヒト・モノ関係データを、自動的に作成できる。
【発明の効果】
【００１９】
本発明によれば、スマートホームサービスを実現するためのヒト・モノ関係データを、自動的に作成することができる。
【図面の簡単な説明】
【００２０】
【図１】本実施形態に係わるヒト・モノ関係グラフの概要を説明する図である。
【図２】本実施形態に係わるヒト・モノ関係グラフの更新を説明する図である。
【図３】本実施形態に係わるスマートホームシステムの構成図である。
【図４】本実施形態に係わるポリシ情報の登録例である。
【図５】本実施形態に係わるポリシ情報の登録例である。
【図６】本実施形態に係わるヒトの利用登録時の処理を示すフローチャートである。
【図７】本実施形態に係わる図６の続きであり、ヒトの利用登録時の処理を示すフローチャートである。
【図８】本実施形態に係わる図７の続きであり、ヒトの利用登録時の処理を示すフローチャートである。
【図９】本実施形態に係わるモノの設置登録時の処理を示すフローチャートである。
【図１０】本実施形態に係わる図９の続きであり、モノの設置登録時の処理を示すフローチャートである。
【図１１】本実施形態に係わる図１０の続きであり、モノの設置登録時の処理を示すフローチャートである。
【図１２】本実施形態に係わる図１１の続きであり、モノの設置登録時の処理を示すフローチャートである。
【図１３】本実施形態に係わるヒト・モノ関係が変わった時の処理を示すフローチャートである。
【図１４】本実施形態に係わる図１３の続きであり、ヒト・モノ関係が変わった時の処理を示すフローチャートである。
【発明を実施するための形態】
【００２１】
以下、本発明の一実施形態について、図面を参照して詳細に説明する。
【００２２】
図１は、ヒト・モノ関係グラフの概要を説明する図である。
符号１００は、ユーザが手動でヒトとモノとを対応付ける一例である。ある家庭ではヒトＡ，Ｂ（夫婦）がモノＰ（電子レンジ）を共用している。この関係は、「ヒト２：モノ１」として２本の接続線で表現できる。なお、別の例では、「ヒト１：モノＮ」や「ヒトＭ：モノＮ」などの関係も考えられる。
また、ヒト・モノ関係を示すデータ表現は図１で例示したグラフ表現（接続線）に限定されず、テーブル表現などの別の表現としてもよい。つまり、ヒト・モノ関係グラフとは、ヒトとモノとの関係の有無を示す「関係データ」の一例である。
符号１００のケースでは、ヒトの数やモノの数が少ないから手動で対応付けを入力できるものの、ヒトの数やモノの数が増えてくると、この対応付け作業がユーザの負担となってしまう。
【００２３】
そこで、符号１０１は、ヒトとモノとの対応付けを自動で行う本実施形態の一例である。符号１０１では符号１００と同じように、「ヒト２：モノ１」の対応付けを行うが、その対応付けの手がかりとして「住所情報（場所情報）」を用いる。
まず、ヒトＡ（ユーザ）は、対応付けるモノＰ（電子レンジ）を直接指定する代わりに、対応付けの手がかりとしてどのような情報をどこから入手するかというポリシ情報を指定する。換言すると、ポリシ情報とは、モノについてのモノ情報と、ヒトについてのヒト情報とについて、それらの情報（モノ情報、ヒト情報）から関係データ（関係グラフ）を作成する方法を規定する情報である。
例えば、ポリシ情報として、以下の各情報をあらかじめ指定しておく。
・「ヒトがモバイル回線を契約しているときの情報（モバイル回線契約情報）からヒト住所情報（ヒトの居住場所）を抽出する」
・「モノが接続される光回線の契約情報（光回線契約情報）からモノ住所情報（モノの設置場所）を抽出する」
また、ヒトとモノとの対応関係を判断するときの所定条件（所定の関係）として「ヒト住所情報＝モノ住所情報（場所の一致）なら、対応関係ありとする」を採用する。
これにより、ヒトＡ→モノＰ、ヒトＢ→モノＰの各対応関係は、住所情報が一致することで、自動的に抽出される。
【００２４】
図２は、ヒト・モノ関係グラフの更新を説明する図である。
符号１０２は、符号１０１の状態から新たなモノＱ（液晶テレビ）の設置登録が行われたときの、ヒト・モノ関係グラフである。
モノＱ（液晶テレビ）のモノ住所情報も、モノＰのモノ住所情報と同じ武蔵野市…であり、ヒトＡ，Ｂのヒト住所情報とも一致する。このとき、モノＱ（液晶テレビ）とヒトＡ，Ｂとの間の新たな関係も、住所の一致により自動的に抽出される（図では太線の接続線）。
【００２５】
符号１０３は、符号１０２の状態からヒトＢがヒトＡの家族から離婚したときの、ヒト・モノ関係グラフである。ヒトＢのヒト住所情報が中野区…に更新されたことにより、モノＰ，Ｑのモノ住所情報と不一致になる。このとき、モノＰ，ＱとヒトＢとの間の関係は、住所の不一致により自動的に削除される。
【００２６】
このように、ヒト・モノ関係グラフの更新を自動化することにより、ユーザの負担を削減することができる。
例えば、著作権上、録画したヒトしかＴＶ番組を視聴できない録画機器（モノ）があったとする。そのため、定期的（例えば３ヶ月に１回など）に録画機器の所有者を確認する必要がある。もし、録画機器に対してユーザが手作業で自身の情報を更新（変更のないことを再登録）する場合、海外等遠隔地に長期滞在している場合などで更新できずに不便である。
一方、ヒト・モノ関係グラフの更新を自動化することで、定期的な手作業での更新作業を省略することができるので、ユーザの負担を削減することができる。
【００２７】
図３は、スマートホームシステムの構成図である。
スマートホームシステムは、ヒト・モノ関係グラフ提供装置１と、ヒト操作端末２１と、モノ家電２２と、クラウドサービス３（サービス提供装置）と、ヒトの活動情報ＤＢ４とがネットワークで接続されて構成される。
なお、スマートホームシステムの各装置は、それぞれＣＰＵ（Central Processing Unit）と、メモリと、ハードディスクなどの記憶手段（記憶部）と、ネットワークインタフェースとを有するコンピュータとして構成される。
このコンピュータは、ＣＰＵが、メモリ上に読み込んだプログラム（アプリケーションや、その略のアプリとも呼ばれる）を実行することにより、各処理部により構成される制御部（制御手段）を動作させる。
【００２８】
スマートホームシステムでは、サービスを利用するヒトがヒト操作端末２１を操作して、モノ家電２２を制御する。テレビのリモコン操作などの単純な制御信号はヒト操作端末２１からモノ家電２２へ直接送信してもよい。一方、ヒト操作端末２１とモノ家電２２とを用いてサービスを提供するクラウドサービス３（サービス提供装置）をさらに用意することで、インターネットのＷｅｂサービスと連携した付加価値サービスを提供できる。
例えば、付加価値サービスとして、モノ家電２２（録画機器）に外出先のヒト操作端末２１から番組予約を行ったり番組視聴を行ったりするサービスが挙げられる。または、モノ家電２２（冷蔵庫）にストックされている食品の情報を受け、それらの食品で作ることができる料理を料理レシピサイトから検索し、おすすめ料理としてヒト操作端末２１（スマートフォン）に表示するサービスが挙げられる。
【００２９】
よって、クラウドサービス３は、ヒト操作端末２１とモノ家電２２とを連動させるために、ヒト・モノ関係グラフが必要となる。そのヒト・モノ関係グラフを作成する役割を担うのが、ヒト・モノ関係グラフ提供装置１である。
ヒト・モノ関係グラフ提供装置１は、ヒト・モノ認証部１１と、ヒト・モノ関係グラフ作成部１２と、ヒト・モノ関係グラフポリシ情報ＤＢ１３と、ヒトの活動情報収集・編集部１４と、ヒト利用登録ＤＢ１５と、モノ設置登録ＤＢ１６と、公開鍵・秘密鍵発行部１７と、サーバ証明書１８ａと、公開鍵１８ｂと、ネットワーク処理部１９とを有する。
ネットワーク処理部１９は、ヒト・モノ関係グラフ提供装置１と他装置との間の通信を中継するインタフェースである。
【００３０】
ヒト・モノ認証部１１は、公開鍵・秘密鍵発行部１７が発行した公開鍵１８ｂやサーバ証明書１８ａをもとに、通信相手となるヒト操作端末２１やモノ家電２２を認証する。この認証処理は、真正性（しんせいせい）の確認処理とも言える。装置Ａにとって通信相手の装置Ｂが正当な装置であると認証し、かつ、装置Ｂにとって通信相手の装置Ａが正当な装置であると認証したとき、双方向で真正性の確認に成功したとする。スマートホームシステムは家庭内の機器を扱うため、不正な乗っ取りなどを防止するためにも、双方向で真正性を確認することが望ましい。
【００３１】
ヒト・モノ関係グラフ作成部１２は、図１，図２で例示したヒト・モノ関係グラフを作成し、その作成結果をクラウドサービス３内のヒト・モノ関係グラフＤＢ３１に提供する。そのため、ヒト・モノ関係グラフ作成部１２は、ヒト・モノ関係グラフを作成する手がかりとして、ヒト・モノ関係グラフポリシ情報ＤＢ１３からヒトが設定したポリシ情報（詳細は図４，図５）を取得し、そのポリシ情報に従って、ヒトの活動情報収集・編集部１４からヒトの活動情報を収集する。
【００３２】
ヒト・モノ関係グラフポリシ情報ＤＢ１３は、例えば、以下に例示するようなポリシ情報を格納する。
・「ホームネットワークに接続するヒトとモノを対応付ける」、
・「ヒトやモノがヒト・モノ関係グラフ作成部１２にアクセスした際の回線の契約情報が一致するヒトとモノを対応付ける」
・「モノが接続している通信回線の契約の住所とヒトがモバイル通信を行っている場所（＝アクセス情報）が近いヒトとモノを対応付ける」
このようなポリシ情報を利用することで、ヒト毎に自動的に最適なヒト・モノ関係グラフを作成することができる。よって、実際の多岐に亘るヒト・モノ関係への対応が容易になる。
【００３３】
ヒトの活動情報収集・編集部１４は、ヒトの活動情報ＤＢ４から収集したヒトの活動情報と、ヒトが登録したポリシ情報にしたがって、収集したヒトの活動情報を編集する。また、ヒトの活動情報収集・編集部１４は、定期的にヒトの活動情報ＤＢ４などの外部のＤＢからヒトの活動情報を収集する。この収集データにおいてヒトの活動状況に変化があった場合に、ヒトの活動情報収集・編集部１４は、当該活動情報を編集してヒト・モノ関係グラフ作成部１２に送信する。
これにより、ヒトによるクラウドサービス３の利用登録情報の変更手続きが不要となり、信頼レベルの高いヒト・モノ関係グラフを維持することができる。
【００３４】
ヒト利用登録ＤＢ１５は、スマートホームシステムを使用するヒト（ヒト操作端末２１のユーザ）の利用登録を受け付ける。登録される内容は例えばユーザの基本情報（住所、電話番号、名前など）である。本実施形態では、ヒト利用登録ＤＢ１５は、ユーザから基本情報を直接入力させてもよいし、ヒトの活動情報ＤＢ４からヒトの基本情報（の一部）を取得してもよい。
【００３５】
モノ設置登録ＤＢ１６は、スマートホームシステムで使用されるモノ（モノ家電２２）の設置登録を受け付ける。設置登録の操作は、例えば、ヒトからの設置登録と同じタイミングでヒトがモノに装着されているモノ設置登録ボタンを押す操作である。クラウドサービス３は、図９、図１０で後記するように、署名付きモノＩＤをもとに、設置登録するヒトが近隣に位置するモノを詐称していないことを確認することができる。
【００３６】
クラウドサービス３（サービス提供装置）は、ヒト・モノ関係グラフＤＢ３１と、サーバ証明書３２ａと、公開鍵３２ｂとを有する。サーバ証明書３２ａは、モノＩＤに署名を付加するときに使用される。公開鍵３２ｂは、クラウドサービス３と他装置との間で真正性の確認処理に使用される。
【００３７】
ヒトの活動情報ＤＢ４は、ヒトの活動情報収集・編集部１４がヒトの活動情報を収集する先となるデータベースである。ヒトの活動情報ＤＢ４は、例えば、以下の情報を提供する。
・「ヒトの住所情報」
・「ヒトの実家の住所情報」
・「ヒトの家族構成情報」
・「ヒトの光通信回線契約情報、光回線ＩＤ（ＣＡＦからはじまるお客様番号）」
・「ヒトのモバイル回線契約情報、ＳＩＭ（Subscriber Identity Module Card）情報」
・「ヒトのモバイル端末のアクセス状況、利用状況」
【００３８】
図４は、ポリシ情報の登録例である。
符号２０１では、ヒトの利用登録時に利用されるヒト住所情報を把握するためのポリシ情報として、その把握方法ごとに、利用有無（有または無のいずれかを選ぶラジオボタン）と、優先度と、備考とを対応付けている。備考とはポリシ情報の設定画面においてユーザに知らせる情報である。複数のポリシ情報は、利用「有」かつ優先度の高い（１，２，３…などの数字の小さい）順に参照される。
符号２０２では、モノの設置登録時に利用されるモノ住所情報を把握するためのポリシ情報を例示している。符号２０２のデータ形式は符号２０１のものと同じである。
【００３９】
図５は、ポリシ情報の登録例である。
符号２０３では、ヒトの家族情報を把握するためのポリシ情報を例示している。符号２０３のデータ形式は符号２０２のものと同じである。符号２０３のポリシ情報は、例えば、「他の家族が利用しているモノとも対応付ける」などのポリシ情報が設定されたときに利用される。
符号２０４では、モノを利用できるヒトを把握するためのポリシ情報を例示している。符号２０４のデータ形式は符号２０３のものと同じである。符号２０４のポリシ情報は、例えば、ヒト住所情報（居住場所）以外の情報をヒトの対応付けの手がかりとする場合や、モノ住所情報（設置場所）以外の情報をモノの対応付けの手がかりとする場合に用いられる。
【００４０】
以上、図４，図５で例示した各ポリシ情報は、「場所が同じヒトとモノを対応付ける」、「住所が異なっていても同じ家族ならばモノと対応付ける」などの、ヒトとモノとを対応付ける所定条件に適合しているか否かを判断するためのデータの収集に用いられる。
また、各ポリシ情報テーブル２０１〜２０４が変更されたときには、その変更に合わせてヒト・モノ関係グラフも更新（再計算）される。
【００４１】
図６は、ヒトの利用登録時の処理を示すフローチャートである。
Ｓ１０１として、ヒト・モノ関係グラフポリシ情報ＤＢ１３と、ヒト利用登録ＤＢ１５とは、それぞれユーザ（ヒト）から初期登録を受け付けて記憶する。ヒト・モノ関係グラフポリシ情報ＤＢ１３は、例えば、図４，５に示したようなヒト毎のヒト・モノ関係グラフ作成のポリシ情報を受け付ける。ヒト利用登録ＤＢ１５は、例えば、公開鍵・秘密鍵発行部１７が発行した公開鍵・秘密鍵などのヒト毎の認証情報を登録する。
【００４２】
Ｓ１０２として、ヒト操作端末２１は、クラウドサービス３にアクセスする。
Ｓ１０３として、クラウドサービス３は、サーバ証明書３２ａをヒト操作端末２１に送信する。
Ｓ１０４として、ヒト操作端末２１は、サーバ証明書３２ａを用いてクラウドサービス３の真正性を確認する。以下、確認に成功し、ヒト操作端末２１にとって通信相手のクラウドサービス３が信用できる場合を説明する。
Ｓ１０５として、ヒト操作端末２１と、クラウドサービス３とは、ＳＳＬ（Secure Sockets Layer）のセッションを確立する。
【００４３】
Ｓ１０６として、ヒト操作端末２１は、ヒトのＩＤとクレデンシャルとを含めたヒトの利用登録をクラウドサービス３に要求する。クレデンシャルとは、ヒトを認証する情報であり、例えば、パスワードや電子証明書などである。
Ｓ１０７として、クラウドサービス３は、Ｓ１０６のクレデンシャルを用いて、通信相手のヒト操作端末２１を認証する。
Ｓ１０８として、クラウドサービス３は、ヒトの署名付きＩＤと、トークンとを含めたヒト・モノ関係グラフの要求をヒト操作端末２１に送信する。トークンとは、クラウドサービス３がヒト・モノ関係グラフ作成部１２からヒト・モノ関係グラフを取得する際の識別子である。
【００４４】
Ｓ１０９として、ヒト操作端末２１は、ヒト・モノ関係グラフ提供装置１のヒト・モノ認証部１１にアクセスする。
Ｓ１１０として、ヒト・モノ認証部１１は、サーバ証明書１８ａをヒト操作端末２１に送信する。
Ｓ１１１として、ヒト操作端末２１は、サーバ証明書１８ａを用いて、ヒト・モノ関係グラフ提供装置１の真正性を確認する。以下、確認に成功したとする。
【００４５】
図７は、図６の続きであり、ヒトの利用登録時の処理を示すフローチャートである。
Ｓ１１２として、ヒト操作端末２１と、ヒト・モノ関係グラフ提供装置１とは、ＳＳＬのセッションを確立する。
Ｓ１１３として、ヒト操作端末２１と、ヒト・モノ認証部１１とは、公開鍵・秘密鍵を用いてヒト認証を実行する。
【００４６】
Ｓ１１４として、ヒト・モノ認証部１１は、モバイル回線契約情報を含めたヒト利用登録を、ヒト利用登録ＤＢ１５に送信する。
Ｓ１１５として、ヒト利用登録ＤＢ１５は、モバイル回線契約情報とヒトとを括り付けて利用登録する。
Ｓ１１６として、ヒト利用登録ＤＢ１５は、ヒト利用登録応答を、ヒト・モノ認証部１１に送信する。
Ｓ１１７として、ヒト・モノ認証部１１は、ヒト認証応答をヒト操作端末２１に送信し、ヒト操作端末２１との間でＳＳＬのセッションを確立する。
【００４７】
Ｓ１３１として、ヒト操作端末２１は、ヒトの署名付きＩＤと、トークンとを含めたヒト・モノ関係グラフの作成要求を、ヒト・モノ関係グラフ作成部１２に送信する。
Ｓ１３２として、ヒト・モノ関係グラフ作成部１２は、ヒト・モノ関係グラフポリシ情報ＤＢ１３にポリシを要求する。
Ｓ１３３として、ヒト・モノ関係グラフポリシ情報ＤＢ１３は、Ｓ１０１で初期登録されたポリシ情報として、例えば、モバイル回線契約情報に従う旨のポリシをヒト・モノ関係グラフ作成部１２に送信する。
【００４８】
Ｓ１３４として、ヒト・モノ関係グラフ作成部１２は、送信されたポリシに従い、モバイル回線契約情報をもとにしたヒト住所情報をヒトの活動情報収集・編集部１４に要求する。
Ｓ１３５として、ヒトの活動情報収集・編集部１４は、Ｓ１３４のポリシから、ヒトのモバイル回線契約情報をヒトの活動情報ＤＢ４から取得することを判断（収集先を決定）する。
Ｓ１３６として、ヒトの活動情報収集・編集部１４は、モバイル回線契約情報をヒトの活動情報ＤＢ４に要求する。
Ｓ１３７として、ヒトの活動情報ＤＢ４は、モバイル回線契約情報をヒトの活動情報収集・編集部１４に送信する。
【００４９】
図８は、図７の続きであり、ヒトの利用登録時の処理を示すフローチャートである。
Ｓ１３８として、ヒトの活動情報収集・編集部１４は、送信されたモバイル回線契約情報からヒト住所情報を抽出する。
Ｓ１３９として、ヒトの活動情報収集・編集部１４は、抽出したヒト住所情報をヒト・モノ関係グラフ作成部１２に送信する。
Ｓ１４０として、ヒト・モノ関係グラフ作成部１２は、ヒト住所情報と、ヒトの署名付きＩＤとを含めた登録要求を、ヒト利用登録ＤＢ１５に送信する。
【００５０】
Ｓ１４１として、ヒト利用登録ＤＢ１５は、Ｓ１４０の登録要求を実行し、その登録応答をヒト・モノ関係グラフ作成部１２に送信する。
Ｓ１４２として、ヒト・モノ関係グラフ作成部１２は、ヒト住所情報と同じ住所であるモノ住所情報（に該当するモノ）の要求を、モノ設置登録ＤＢ１６に送信する。
Ｓ１４３として、モノ設置登録ＤＢ１６は、Ｓ１４２で要求されたモノ住所情報を検索する。
Ｓ１４４として、モノ設置登録ＤＢ１６は、検索したモノ住所情報に該当するモノのモノＩＤを、ヒト・モノ関係グラフ作成部１２に回答する。
【００５１】
Ｓ１６１として、ヒト・モノ関係グラフ作成部１２は、取得したモノＩＤにヒトを対応付けて、ヒト・モノ関係グラフを作成する。
Ｓ１６２として、ヒト・モノ関係グラフ作成部１２は、Ｓ１６１で作成したヒト・モノ関係グラフと、トークンとをクラウドサービス３に送信する。
Ｓ１６３として、クラウドサービス３は、ヒト・モノ関係グラフの取得応答を、ヒト・モノ関係グラフ作成部１２に送信する。
Ｓ１６４として、ヒト・モノ関係グラフ作成部１２は、ヒト・モノ関係グラフが送信されたことを、ヒト操作端末２１に通知する。
【００５２】
図９は、モノの設置登録時の処理を示すフローチャートである。図２の符号１０２で例示したように、新たなモノが設置登録されると、連動してヒト・モノ関係グラフも更新される。
Ｓ２０１として、クラウドサービス３のメーカ担当者は、工場出荷時にモノ家電２２のセキュアメモリに、モノに固有の署名付きモノＩＤを設定する。この署名付きモノＩＤは、クラウドサービス３内にも記憶される。
Ｓ２０２として、モノ家電２２は、ホームネットワークに接続する。
Ｓ２０３として、モノ家電２２は、電源ＯＮする。
【００５３】
Ｓ２０４として、ヒト操作端末２１は、クラウドサービス３にアクセスする。
Ｓ２０５として、クラウドサービス３は、サーバ証明書３２ａをヒト操作端末２１に送信する。
Ｓ２０６として、ヒト操作端末２１は、サーバ証明書３２ａを用いて、クラウドサービス３の真正性を確認する。以下、確認に成功したとする。
Ｓ２０７として、ヒト操作端末２１と、クラウドサービス３とは、ＳＳＬのセッションを確立する。
Ｓ２０８として、ヒト操作端末２１は、クレデンシャルを含めたモノの設置登録をクラウドサービス３に要求する。
【００５４】
Ｓ２０９として、クラウドサービス３は、クレデンシャルでヒトを認証する。
Ｓ２１０として、ヒト操作端末２１（ヒト）は、Ｓ２０８の要求から規定時間内にモノ家電２２のモノ設置登録ボタンを押下する。
Ｓ２１１として、モノ家電２２は、Ｓ２１０の押下を受け、クラウドサービス３にアクセスする。
Ｓ２１２として、クラウドサービス３は、サーバ証明書３２ａをモノ家電２２に送信する。
【００５５】
図１０は、図９の続きであり、モノの設置登録時の処理を示すフローチャートである。
Ｓ２１３として、モノ家電２２は、クラウドサービス３の真正性を確認する。以下、確認に成功したとする。
Ｓ２１４として、モノ家電２２と、クラウドサービス３とは、ＳＳＬのセッションを確立する。
Ｓ２１５として、モノ家電２２は、署名付きモノＩＤを含めてモノの設置登録を、クラウドサービス３に要求する。
【００５６】
Ｓ２１６として、クラウドサービス３は、署名付きモノＩＤでヒトを認証する。例えば、ヒト操作端末２１から送信された署名付きモノＩＤと、モノ家電２２から送信された署名付きモノＩＤとを照合し、双方が一致したときに、認証が成功したとする。照合が一致したときに、クラウドサービス３にモノを登録するとともに、モノ設置登録ＤＢ１６にモノ情報（モノ住所情報など）を登録する。
Ｓ２１７として、クラウドサービス３は、トークンを含めてヒト・モノ関係グラフをモノ家電２２に要求する。
Ｓ２１８として、モノ家電２２は、ヒト・モノ関係グラフ提供装置１のヒト・モノ認証部１１にアクセスする。
Ｓ２１９として、ヒト・モノ認証部１１は、サーバ証明書１８ａをモノ家電２２に送信する。
【００５７】
Ｓ２２０として、モノ家電２２は、ヒト・モノ関係グラフ提供装置１の真正性を確認する。以下、確認に成功したとする。
Ｓ２２１として、モノ家電２２と、ヒト・モノ関係グラフ提供装置１とは、ＳＳＬのセッションを確立する。
Ｓ２２２として、モノ家電２２は、署名付きモノＩＤを含めてヒト・モノ認証部１１にアクセスする。
Ｓ２２３として、ヒト・モノ認証部１１は、署名付きモノＩＤでヒトを認証する。
Ｓ２２４として、ヒト・モノ認証部１１は、認証応答を、モノ家電２２に送信する。
【００５８】
図１１は、図１０の続きであり、モノの設置登録時の処理を示すフローチャートである。
Ｓ２２５として、ヒト・モノ認証部１１は、モノの接続先である光回線の光回線契約情報を取得する。
Ｓ２２６として、ヒト・モノ認証部１１は、モノＩＤと光回線契約情報とを括り付けする。
Ｓ２２７として、ヒト・モノ認証部１１は、モノＩＤと光回線契約情報とを含めたモノの登録要求を、モノ設置登録ＤＢ１６に送信する。
Ｓ２２８として、モノ設置登録ＤＢ１６は、Ｓ２２７の登録要求を実行し、その登録応答をヒト・モノ認証部１１に送信する。
【００５９】
Ｓ２２９として、ヒト・モノ認証部１１は、認証応答をモノ家電２２に送信する。
Ｓ２３１として、モノ家電２２は、トークンを含めたヒト・モノ関係グラフの作成要求を、ヒト・モノ関係グラフ作成部１２に送信する。
Ｓ２３２として、ヒト・モノ関係グラフ作成部１２は、ヒト・モノ関係グラフポリシ情報ＤＢ１３にポリシを要求する。
Ｓ２３３として、ヒト・モノ関係グラフポリシ情報ＤＢ１３は、Ｓ１０１で初期登録されたポリシ情報として、例えば、「光回線契約情報に従う」旨のポリシを、ヒト・モノ関係グラフ作成部１２に送信する。
【００６０】
Ｓ２３４として、ヒト・モノ関係グラフ作成部１２は、ポリシを含めて光回線契約情報の住所を、ヒトの活動情報収集・編集部１４に要求する。
Ｓ２３５として、ヒトの活動情報収集・編集部１４は、Ｓ２３４のポリシから、モノの光回線契約情報をヒトの活動情報ＤＢ４から取得することを判断（収集先を決定）する。
Ｓ２３６として、ヒトの活動情報収集・編集部１４は、光回線契約情報を、ヒトの活動情報ＤＢ４に要求する。
Ｓ２３７として、ヒトの活動情報ＤＢ４は、要求された光回線契約情報を、ヒトの活動情報収集・編集部１４に送信する。
Ｓ２３８として、ヒトの活動情報収集・編集部１４は、受信した光回線契約情報からモノ住所情報を抽出する。
【００６１】
図１２は、図１１の続きであり、モノの設置登録時の処理を示すフローチャートである。
Ｓ２３９として、ヒトの活動情報収集・編集部１４は、モノ住所情報をヒト・モノ関係グラフ作成部１２に送信する。
Ｓ２４０として、ヒト・モノ関係グラフ作成部１２は、モノ住所情報と同じヒト住所情報を持つヒトの検索要求を、ヒト利用登録ＤＢ１５に送信する。
Ｓ２４１として、ヒト利用登録ＤＢ１５は、同じヒト住所情報を持つヒトを検索する。
Ｓ２４２として、ヒト利用登録ＤＢ１５は、検索したヒト住所情報に該当するヒトのヒトＩＤを、ヒト・モノ関係グラフ作成部１２に回答する。
【００６２】
Ｓ２６１として、ヒト・モノ関係グラフ作成部１２は、取得したヒトＩＤをモノに対応付けて、ヒト・モノ関係グラフを作成する。
Ｓ２６２として、ヒト・モノ関係グラフ作成部１２は、Ｓ２６１のヒト・モノ関係グラフをクラウドサービス３に送信する。
Ｓ２６３として、クラウドサービス３は、ヒト・モノ関係グラフの取得応答を、ヒト・モノ関係グラフ作成部１２に送信する。
Ｓ２６４として、ヒト・モノ関係グラフ作成部１２は、ヒト・モノ関係グラフを送信した旨をモノ家電２２に通知する。
【００６３】
図１３は、ヒト・モノ関係が変わった時の処理を示すフローチャートである。例えば、離婚などの事情で家族構成が変更されることで、ヒト・モノ関係も変更される場合を例示する。図２の符号１０３で例示したように、ヒト住所情報が変更されると、連動してヒト・モノ関係グラフも更新される。
Ｓ３０１として、ヒトの活動情報収集・編集部１４は、登録されているヒトのヒトＩＤをヒト利用登録ＤＢ１５に要求する。
Ｓ３０２として、ヒト利用登録ＤＢ１５は、ヒトの活動情報収集・編集部１４にヒトＩＤを送信する。
Ｓ３０３として、ヒトの活動情報収集・編集部１４は、取得したヒトＩＤに関するポリシを、ヒト・モノ関係グラフポリシ情報ＤＢ１３に要求する。
【００６４】
Ｓ３０４として、ヒト・モノ関係グラフポリシ情報ＤＢ１３は、ヒトの活動情報収集・編集部１４にポリシを送信する。
Ｓ３０５として、ヒトの活動情報収集・編集部１４は、受信したポリシから、ヒト・モノ関係グラフの自動作成のためのデータとして、モバイル回線契約情報とモバイル回線のアクセス情報に従うことを確認する。
Ｓ３０６として、ヒトの活動情報収集・編集部１４は、モバイル回線契約情報とモバイル回線のアクセス情報とをヒトの活動情報ＤＢ４に要求する。
【００６５】
Ｓ３０７として、ヒトの活動情報ＤＢ４は、Ｓ３０６で要求された情報をヒトの活動情報収集・編集部１４に送信する。
Ｓ３０８として、ヒトの活動情報収集・編集部１４は、Ｓ３０７で受信したモバイル回線契約情報からヒト住所情報を抽出する。
Ｓ３０９として、ヒトの活動情報収集・編集部１４は、Ｓ３０７で受信したモバイル回線のアクセス情報から最近３ヶ月のアクセス地点情報を抽出する。
Ｓ３１０として、ヒトの活動情報収集・編集部１４は、Ｓ３０８のヒト住所情報とＳ３０９のアクセス地点情報とを、ヒト・モノ関係グラフ作成部１２に送信する。
【００６６】
図１４は、図１３の続きであり、ヒト・モノ関係が変わった時の処理を示すフローチャートである。
Ｓ３１１として、ヒト・モノ関係グラフ作成部１２は、ヒト・モノ関係グラフポリシ情報ＤＢ１３にポリシを要求する。
Ｓ３１２として、ヒト・モノ関係グラフポリシ情報ＤＢ１３は、ヒト・モノ関係グラフ作成部１２にポリシを送信する。
Ｓ３１３として、ヒト・モノ関係グラフ作成部１２は、受信したポリシから、ヒト・モノ関係グラフの自動作成のためのデータとして、モバイル回線契約情報とモバイル回線のアクセス情報に従うことを確認する。
Ｓ３１４として、ヒト・モノ関係グラフ作成部１２は、ヒト住所情報が変更になったことを確認する。
【００６７】
Ｓ３１５として、ヒト・モノ関係グラフ作成部１２は、ヒト住所情報の変更要求を、ヒト利用登録ＤＢ１５に送信する。
Ｓ３１６として、ヒト利用登録ＤＢ１５は、Ｓ３１５の変更要求を実行し、その変更応答をヒト・モノ関係グラフ作成部１２に送信する。
Ｓ３１７として、ヒト・モノ関係グラフ作成部１２は、ヒトが引っ越したと認識する。
Ｓ３１８として、ヒト・モノ関係グラフ作成部１２は、ヒト・モノ関係グラフでヒトに対応付けられているモノを検索する。
【００６８】
Ｓ３３０として、ヒト・モノ関係グラフ作成部１２は、検索でヒットしたモノを、ヒト・モノ関係グラフから削除することで、ヒト・モノ関係グラフを更新する。
Ｓ３３１として、ヒト・モノ関係グラフ作成部１２は、更新されたヒト・モノ関係グラフを、クラウドサービス３に送信する。
Ｓ３３２として、クラウドサービス３は、Ｓ３３０でのモノとの関係が削除されたことをヒト操作端末２１にメールなどで通知する。
【符号の説明】
【００６９】
１      ヒト・モノ関係グラフ提供装置
３      クラウドサービス
４      ヒトの活動情報ＤＢ
１１    ヒト・モノ認証部
１２    ヒト・モノ関係グラフ作成部（関係データ作成部）
１３    ヒト・モノ関係グラフポリシ情報ＤＢ（ポリシ情報管理部）
１４    ヒトの活動情報収集・編集部（ヒト情報収集部、モノ情報収集部）
１５    ヒト利用登録ＤＢ
１６    モノ設置登録ＤＢ（モノ情報データベース）
１７    公開鍵・秘密鍵発行部
１８ａ  サーバ証明書
１８ｂ  公開鍵
１９    ネットワーク処理部
２１    ヒト操作端末
２２    モノ家電（家電機器）
３１    ヒト・モノ関係グラフＤＢ
３２ａ  サーバ証明書
３２ｂ  公開鍵
【図１】
0006572172.tif 000002
【図２】
0006572172.tif 000003
【図３】
0006572172.tif 000004
【図４】
0006572172.tif 000005
【図５】
0006572172.tif 000006
【図６】
0006572172.tif 000007
【図７】
0006572172.tif 000008
【図８】
0006572172.tif 000009
【図９】
0006572172.tif 000010
【図１０】
0006572172.tif 000011
【図１１】
0006572172.tif 000012
【図１２】
0006572172.tif 000013
【図１３】
0006572172.tif 000014
【図１４】
0006572172.tif 000015